(57)【要約】  本発明は、ある種のテレビ番組を受信する受信方法及び装置機器を提供し、前記方法は、ユーザ構成情報を入手するステップであって、前記ユーザ構成情報が、位置情報に関する、ステップと、前記ユーザ構成情報に対応するテレビ番組を選択的に受信するステップと、を含む。前記方法は、更に、位置情報に関連付けられるユーザ構成情報を入手するステップと、前記ユーザ構成情報に基づき対応するテレビ番組を選択的に受信するステップを含む。本発明において提供される、テレビ番組を受信する方法及び装置機器によると、各受信設定機器は、その異なる位置に基づきデフォルトの構成情報を発生し得、したがって、ユーザの時間を節約し、テレビ番組のより個人に合わせた選択をもたらし得る。(図６参照)
2008539636.tif 000002
【特許請求の範囲】
【請求項１】
マルチチャネルテレビ番組を受信する方法であって、
ユーザ構成情報を入手するステップであって、前記ユーザ構成情報が、位置情報に関する、ステップと、
前記ユーザ構成情報に対応するテレビ番組を選択的に受信するステップと、
を含む、方法。
【請求項２】
前記位置情報を受信するステップを更に含む、請求項１に記載の方法。
【請求項３】
少なくとも１つのイベント情報を受信するステップを更に含む、請求項１に記載の方法。
【請求項４】
前記イベント情報が、少なくとも１つのテレビ番組の選択情報を含む、請求項３に記載の方法。
【請求項５】
前記ユーザ構成情報に従い、前記イベント情報が有効なイベント情報であるかを決定するステップを更に含む、請求項３に記載の方法。
【請求項６】
前記ユーザ構成情報が、ユーザの入力を介して入手される、請求項１に記載の方法。
【請求項７】
マルチチャネルテレビ番組を受信する機器であって、
ユーザ構成情報を入手する構成情報入手手段であって、前記ユーザ構成情報が、位置情報に関する、構成情報入手手段と、
前記ユーザ構成情報に対応するテレビ番組を受信する選択的受信手段と、
を含む、機器。
【請求項８】
前記ユーザ構成情報を記憶する構成情報記憶手段を備える、請求項７に記載の機器。
【請求項９】
イベント情報を受信する通信インターフェイスを備える、請求項７に記載の機器。
【請求項１０】
前記ユーザ構成情報に従い、前記受信されたイベント情報を選択するイベントフィルタリング手段を備える、請求項９に記載の機器。
【請求項１１】
前記ユーザ構成情報を修正するために、ユーザ入力情報を受信する入力手段を備える、請求項１０に記載の機器。
【請求項１２】
位置情報受信手段を含む、請求項７に記載の機器。
【請求項１３】
前記位置情報受信手段が、ＲＦＩＤ読み取り手段である、請求項１２に記載の機器。
【請求項１４】
前記位置情報受信手段が、ＮＦＣ読み取り手段である、請求項１２に記載の機器。
【請求項１５】
ユーザ構成情報を発生する方法であって、
位置情報を入手するステップと、
前記位置情報に関連するテレビ番組構成情報を発生するステップと、
を含む、方法。
【請求項１６】
前記テレビ番組構成情報をユーザに送信するステップを更に含む、請求項１５に記載の方法。
【請求項１７】
ユーザ構成情報を発生する機器であって、
位置情報を入手する位置情報入手手段と、
前記位置情報に関連するテレビ番組構成情報を発生する構成情報発生手段と、
を含む、機器。
【発明の詳細な説明】
【技術分野】
【０００１】
本発明は、テレビ番組を受信する方法及び機器に関し、より特には、マルチチャネルテレビ番組を受信する方法及び機器に関する。
【背景技術】
【０００２】
大規模のスポーツイベントの最中に、同一のスポーツシーンのマルチアングル撮影及び放送が、広く用いられる。例えば、Ｆ１カーレース放送は、マルチアングル番組を含み、マルチアングル撮影は、複数の異なる位置に設置される１０以上のカメラを介して行われ、車の前のカメラ及びドライバに向かい合うカメラを含み得る。撮影されるべき内容は、異なる位置におけるテレビ番組情報を含み得る、又は周知のドライバの顔の表情などの特定のイベントの追跡及び撮影であり得る。テレビ放送局は、複数の異なる視点からのこれらのマルチアングル信号を同時に放送し得る、又は放送するのにより良い角度から撮影された特定のテレビ番組を選択し得る。
【０００３】
現在のスポーツ競技場及びスタジアムにおいて、観客は、その場においてセットアップされる放送局から送信されるマルチアングルテレビ番組情報を受信するための携帯型ハンドヘルド装置を使用し得、これにより、観客は、異なる角度から撮影された番組を視聴し得る。更に、観客は、テレビ番組チャネルを手動で選択することによって、異なる角度からスポーツイベントを視聴し得、よって、このことは、観客にとって試合を楽しむための楽しみをより与え得る。
【０００４】
しかし、一般的に言うと、異なるユーザは、異なる角度から撮影される異なるテレビ番組において自身の個人に合わせた興味を有し得る。したがって、各ユーザは、彼／彼女自身の好みに基づきテレビ番組チャネルを選択する必要があり、同時に、ユーザは、ユーザの興味に一致する特定のイベントが発生する時に、１０又は何十ものテレビ番組チャネルから、彼／彼女の最良な角度の画像を選択する必要がある。
【０００５】
しかし、問題は、ユーザが最良の角度の番組を特定するために、手動でテレビ番組をスイッチする必要があることである。結果として、ユーザが、ユーザの特定の興味に応じるほんの一瞬のテレビ番組映像を見失い得ることが非常に起こり得る。
【０００６】
したがって、マルチチャネルテレビ番組を受信する際に、異なるユーザの個人に合わせた要件を満たすテレビ番組受信方法及び機器を提供することが必要である。
【発明の開示】
【発明が解決しようとする課題】
【０００７】
ユーザがより個人に合わせたテレビ番組を受信することを可能にする、テレビ番組を受信する方法及び機器を提供することが所望である。
【０００８】
またユーザがユーザの構成情報に基づきより個人に合わせたテレビ番組を受信することを可能にする、ユーザ構成情報を発生する方法及び機器を提供することも所望である。
【課題を解決するための手段】
【０００９】
本発明に従い提供される、マルチチャネルテレビ番組を受信する方法は、以下のステップ、すなわち、位置情報に関するユーザ構成情報を入手するステップと、前記ユーザ構成情報に対応するテレビ番組を選択的に受信するステップと、を含む。
【００１０】
本発明に従い提供される、テレビ番組を受信するマルチチャネル受信機器は、位置情報に関するユーザ構成情報を入手する構成情報入手手段と、前記ユーザ構成情報に対応するテレビ番組を受信する選択的受信手段と、を含む。
【００１１】
本発明に従い提供される、ユーザ構成情報を発生する方法は、位置情報を入手するステップと、前記位置情報に関連するテレビ番組構成情報を発生するステップと、
を含む。
【００１２】
本発明に従い提供される、ユーザ構成情報を発生する機器は、位置情報を入手する位置情報入手手段と、前記位置情報に対応するテレビ番組構成情報を発生する構成情報発生手段と、を含む。
【００１３】
本発明において提供される、マルチチャネルテレビ番組を放送及び受信する方法及び機器に従うと、各受信機器は、一群の最適化された及び合理的なテレビ番組を受信し得、したがって、ユーザの時間を節約し、より個人に合わせたテレビ番組をもたらし得る。
【００１４】
他の目的及び達成事項は、本発明のより完全な理解とともに、添付の図面と関連して考慮される以下の説明及び請求項を参照することによって、明確になり及び理解され得る。
【００１５】
全ての図面を通して、同様な参照符号は、同様、類似、又は対応する特徴又は機能を参照するように理解され得る。
【発明を実施するための最良の形態】
【００１６】
詳細な説明は、添付の図面と関連して考慮されて本発明の特定の実施例に対して、以下になされる。
【００１７】
図１は、本発明の実施例に従うスポーツスタジアムにおけるシステムを例示する。当該システムは、放送基地局１０、制御センタ２０、複数の携帯型受信機器３０、及びスタジアムのシートに設置される複数のＲＦＩＤタグ４０を含む。ビデオカメラ（図示せず）は、異なる角度からスポーツビデオを撮影し、生じるテレビ番組情報を放送基地局１０へリアルタイムに送信するために、スタジアムの様々な異なる位置に設置され、放送基地局１０は、受信されたマルチチャネルテレビ番組情報を、スタジアムにおける複数の受信機器３０の全てによって受信されるようにスタジアム内における様々な位置に対して放送する。制御センタ２０は、試合の最中において様々な受信機器３０に生のスポーツイベント情報を放送するのに用いられる。
【００１８】
イベント情報は、様々な種類の試合に従い、システム管理者によって、事前に決定され得る。例えば、フットボールの試合において、ゴールを決める（得点する(goal-scoring)）ことが、イベントとして規定され得る。一方で、システム管理者は、試合の最中の突然の又は予期しない出来事も、イベントとして規定し、それをスタジアムに放送し得る。例えば、システム管理者は、試合中の反則行為、又は衝突(clash)などの予期できない出来事をイベントとして規定し得る。
【００１９】
本発明の実施例によると、携帯型受信機器３０は、ユーザの携帯電話又はＰＤＡと統合され得る。制御センタ２０は、全てのユーザの携帯電話に、ＧＳＭネットワークを介してイベント情報を含むＳＭＳ（ショートメッセージサービス）を送信する。代替的に、制御センタ２０はＧＳＭ以外の３Ｇ等の他のネットワークを介してイベント情報を送信し得ることを、当業者によって理解されるべきである。
【００２０】
ＲＦＩＤタグ４０は、スタジアムにおけるシートに設置され、その対応するシートの位置情報はＲＦＩＤタグ４０に含まれている。ユーザの携帯型受信機器３０は、シートにおいて、ＲＦＩＤタグ４０に含まれる位置情報を入手し得る。前記位置情報は、例えば、４０Ａ、又はセクションＡの８列目のシート９などのシート番号又は同様なものの、シートの位置情報を含む。
【００２１】
図２は、テレビ番組が本発明の実施例に従い撮影されるスポーツスタジアムにおける異なる角度を例示する。スポーツスタジアムにおいて、複数のビデオカメラは、シーンの設計及びゲームの特性に従い、異なる位置A、B、C、D、E、F、G及びHにセットされる。したがって、ゲームの最中において、８つの異なる角度からの８個のテレビ番組撮影が、基地局から同時に放送され、ユーザは、８つのチャネルから同時にテレビ番組を受信し得る。しかし、セクションＡに着席する観客は、角度Ａからのテレビ番組撮影に通常興味はない。というのも、この観客は、この角度から直接ゲームを見ているからである。セクションＡにおける観客の大半は、異なる角度からの視聴の損失を埋め合わせるために、B、C、D、F及びHなどの他の角度からのテレビ番組撮影に、より興味があり得る。
【００２２】
図３は、本発明の実施例に従う受信機器の機能的モジュールを示すブロック図である。受信機器３０は、ＲＦＩＤ読み取り手段３０１、初期設定構成情報発生手段３０２、構成情報記憶手段３０３、イベントフィルタリング手段３０５、番組選択手段３０７、及びDVB−T／H受信手段３０８を備える。
【００２３】
加えて、携帯型端末は、更に、入力手段３０４、通信インターフェイス３０６、Ａ／Ｖ復号器３０９、及び表示手段３１０を備える。
【００２４】
ＲＦＩＤ読み取り手段３０１は、ＲＦＩＤタグ４０に含まれる位置情報を得るために用いられる。ＲＦＩＤタグ４０が磁界に入った後で、ＲＦＩＤ読み取り手段３０１は、信号を送出する。ＲＦＩＤタグ４０は、その中のチップに記憶される位置情報を、ＲＦＩＤタグ４０が誘導電流により得るエネルギに応じて送出する、又はＲＦＩＤタグ４０は、信号を特定の周波数で自発的に送出し得、そしてＲＦＩＤ読み取り手段３０１は、前記位置情報を読み取る。本発明の別の実施例によると、ＲＦＩＤタグ４０は、ＮＦＣ（ニアフィールドコミュニケーション）タグによって置換され得る。そしてそれに対応して、ＮＦＣ読み取り手段は、ＮＦＣタグに含まれる位置情報を入手し得る。
【００２５】
受信される位置情報に従い、初期設定構成情報発生手段３０２は、ユーザに対して、異なる角度からのテレビ番組撮影に関する初期設定構成を推薦し得る。構成情報に対する詳細な説明は、後になされる。ユーザがシステムによって推薦される初期設定構成に満足しない場合、彼／彼女は、入力手段３０４を介して初期設定構成を修正し得、修正された構成情報を、構成情報記憶手段３０３に保存し得る。
【００２６】
本発明の別の実施例によると、ユーザは、試合のチケットをオンラインチケット予約を介して入手し得る。オンラインチケット予約システムは、事前に、スタジアムの各席情報に対応するユーザ構成情報を発生し得る。ユーザが、与えられる席の位置情報を入手する一方で、このユーザは、オンラインを介して、席の位置に対応する初期設定構成情報をダウンロードし得、これを受信手段３０に記憶し、含まれる初期設定構成情報は、テレビ番組提供者によって、又はオンラインチケット予約システム提供者によって提供され得る。ユーザがスタジアムに到着する時に、彼／彼女は、位置情報を受信する必要がなく、代わりに、彼は、入手された初期設定構成情報を直接用いてテレビ番組を選択的に受信する。
【００２７】
通信インターフェイス３０６は、制御センタ２０から送信されるイベント情報を受信するのに用いられる。例えば、フットボールゲームにおいて、得点することは、イベントとして見なされ得る。イベントフィルタリング手段３０５は、通信インターフェイス３０６によって受信されるイベント情報を、初期設定構成情報と比較し、フィルタリングするのに用いられる。フィルタリングの後で、有効なイベント情報は、番組選択手段３０７へ送信され、これにより、番組選択手段３０７は、有効なイベント情報に基づきテレビ番組を選択的に受信し得る。例えば、通信インターフェイス３０６が「得点」のイベント情報を受信した後で、「得点」が、フィルタリング手段３０５によるフィルタリングされた後に有効なイベント情報の１つである場合、番組選択手段３０７は、「得点」のイベントに対応する、基地局によるテレビ番組コードストリーム放送を受信するために、ＤＶＢ−Ｔ／Ｈ受信手段を制御する。Ａ／Ｖ復号器３０９は、受信されたテレビ番組ストリームを復号するとともにそれを表示手段３１０に提示するために用いられる。
【００２８】
本発明の別の実施例に従うと、携帯型受信機器３０は、他の手段を介して位置情報を入手し得る。例えば、ユーザは、位置情報を入力し、それを構成情報記憶手段３０３に保存し得る。ユーザは、この情報を、携帯電話のＳＭＳを介して受信機器３０へ送信もし得る。
【００２９】
本発明の携帯型受信機器３０は、スタンドアローンな受信機器である、又は現在の携帯電話若しくはＰＤＡなどの携帯型装置と一体化され得ることを、当業者によって理解されるべきである。更に、本発明の携帯型受信機器３０は、スタジアムにおける席にも固定されて設置され得、これにより、テレビ番組及びイベント情報の受信がケーブル伝送を介して実施化され得ることを、当業者によって理解されるべきである。
【００３０】
図４は、本発明の実施例に従うテレビ番組を受信する携帯型受信機器を示すフロー図である。
【００３１】
ステップＳ５１０において、受信機器は、位置情報をＲＦＩＤの形式で受信し、この位置情報は、例えば、スタジアムにおける席番号などの、携帯型受信機器の位置に関する情報を含む。本発明の別の実施例によると、ＲＦＩＤの形式以外では、位置情報は、ＮＦＣの形式でもあり得る、又はユーザは、携帯型受信機器の入力手段を介して位置情報を直接入力し得る。
【００３２】
ステップＳ５２０において、携帯型受信機器が受信する位置情報に基づき、携帯型受信機器は、ネットワークから１つ又は複数のテレビ番組の選択情報を含む初期設定構成情報を発生又はダウンロードする。例えば、フットボールゲームにおいて、ゴール裏の席に座るユーザによって用いられる携帯型受信機器は、受信される位置情報に基づき、初期設定構成情報を発生し、発生された初期設定構成情報は、通常の条件の下で見ている場合は角度Ａを含み、また得点のイベントが発生する場合に切り替えられる角度Ｃを含む。
【００３３】
初期設定角度は、任意選択的に、ユーザが留まる位置に従い構成される。
【００３４】
ステップＳ５３０において、初期設定構成が修正されたかに関しての判定がなされる。もしそうである場合、ユーザによって入力された修正済み構成情報は、受け入れられ、ステップＳ５４０において携帯型受信機器３０に保存される。もしそうでない場合、処理は、ステップＳ５５０に進む。
【００３５】
ステップＳ５５０において、イベント情報が受信されたかに関する判定がなされる。もしそうである場合、ステップＳ５６０において、イベント情報のフィルタリングが、カスタマイズされた構成情報に従い行われる。もしそうでない場合、処理はＳ５５０へ進む。
【００３６】
ステップＳ５７０において、イベント情報が有効であるか否かに関しての判定がなされる。もしそうである場合、テレビ番組チャネルの切り替えが、ステップＳ５８０において有効なイベント情報に従い行われる。もしそうでない場合、処理はステップＳ５５０に進む。
【００３７】
ステップＳ５９０において、テレビ番組が終了しているかに関する判定がなされる。もしそうである場合、番組は終了する。もしそうでない場合、処理は、ステップＳ５５０へ戻り、イベント情報のいずれかが受信されているかに関する判定が更になされる。
【００３８】
図５は、本発明の別の実施例に従う受信機器及び制御センタの機能的モジュールを示すブロック図を例示する。受信機器３０は、ＲＦＩＤ読み取り手段３０１、構成情報記憶手段３０３、イベントフィルタリング手段３０５、番組選択手段３０７、及びＤＶＢ−Ｔ／Ｈ受信手段３０８を備える。加えて、携帯型端末は、更に、入力手段３０４、通信インターフェイス３０６、Ａ／Ｖ復号器３０９、及び表示手段３１０を備える。制御センタ２０は、位置情報受信手段２０１及び初期設定構成情報発生手段３０２を備える。
【００３９】
位置情報を受信した後で、受信機器３０は、この情報を、制御センタ２０の位置情報受信手段２０１へ送信し得る。制御センタ２０に設置される初期設定構成情報発生手段３０２は、受信された位置情報に対応する初期設定構成情報を発生させ、その後、この情報を受信機器３０へ送信し、これを、構成情報記憶手段３０３に保存する。この実施例において、他のモジュールの機能は、図３に示されるものと同一であり、したがって、説明は、ここでは省略される。
【００４０】
図６は、本発明の別の実施例に従うビデオ情報を受信する受信機器を示すフロー図である。
【００４１】
ステップＳ５１０において、受信機器は、位置情報をＲＦＩＤの形式で受信し、この位置情報は、例えば、携帯型受信機器が配置される位置に関する情報を含む。
【００４２】
ステップＳ５１２において、携帯型受信機器は、位置情報を、制御センタ２０へ送信し、この制御センタ２０は、位置情報に対応する初期設定構成情報を発生する。
【００４３】
ステップＳ５１６において、受信機器は、制御センタによって送信される初期設定構成情報を受信し、これを、構成情報記憶手段３０３に保存する。
【００４４】
後続のステップは、図４に示されるものと同一であり、したがって、説明はここでは省略される。
【００４５】
図７は、本発明の実施例に従う受信機器のユーザインターフェイスを例示する。携帯型受信機器が配置される位置に従い、携帯型受信機器は、例えば、ゴール裏のセクションにおけるシートであるセクションＡの列８のシート９などの、位置におけるＲＦＩＤタグによって送信される位置情報を受信する。携帯型受信機器の初期設定構成情報発生手段は、位置情報に従い、初期設定構成情報を発生し得る。例えば、フットボールゲームにおいて、初期設定構成情報発生手段によりゴール裏に着席するユーザに対して推薦される構成情報は、：図２を参照すると、試合の通常の条件の下において角度Ｂからのテレビ番組撮影を視聴すること、及び得点がＡ側から発生する場合に角度Ｅからのテレビ番組撮影を視聴すること、を含み得る。ユーザが初期設定構成情報に満足しない場合、彼は、構成を修正し得る。例えば、Ａ側から得点が発生する際に、ユーザが、角度Ｅからのテレビ番組撮影及び角度Ｇからのテレビ番組撮影を視聴することを望む場合、彼は、ユーザインターフェイスにおける対応するオプションを修正し得る。修正された結果が図７に示される。一方で、ユーザは、全ての好ましいイベントの中から彼／彼女の好みのイベントを選択し、そのイベントを構成情報記憶手段３０３に保存し得る。例えば、試合の最中において、ユーザは、「Ａ側からの得点」、「Ｇ側からのコーナーキック」などの多数のイベント情報を受信する。しかし、ユーザが得点に対応するテレビ番組のみに興味を持つ場合、彼は、構成情報を修正し、得点に関連するイベントのみを有効なイベント情報とさせ、他のイベントを除外し得る。
【００４６】
図８は、本発明の実施例に従うイベント情報の形式を概略的に例示する。図２を参照すると、フットボールの試合の最中に、得点がＡ側から発生する場合、制御センタは、角度Ａ、Ｂ、Ｅ及びＧからの得点のイベント情報を、受信機器へ送信する。図４に示される構成情報に従うと、得点がＡ側から発生し、ユーザが角度Ｅ及びＧからのテレビ番組撮影を視聴する場合、４つのイベント情報のうちの角度Ｅ及びＧからの２つのイベント情報のみが有効なイベント情報である。受信機器は、角度Ｅ及びＧからのビデオバング撮影を受信し、復号ステップの後に、これらをユーザに複数画面の形式で提示する。イベント情報の内容は、例えば「北西側からのコーナーキック」などの、文字の形式でもあり得ることを当業者によって理解されるべきである。同様に、上述の実施例と同一の効果も達成され得る。
【００４７】
本発明において開示されるテレビ番組を受信する方法及び機器は、デジタル双方向テレビ番組の受信のみならず、アナログテレビ番組の受信にも適用される。
【００４８】
本発明の基礎から逸脱することなく、本発明において開示されるテレビ番組を受信する方法及び機器に対して様々な改善態様及び修正態様がなされ得、本発明の範囲が添付の請求項によって規定されるべきであることを、当業者によって理解されるべきである。
【図面の簡単な説明】
【００４９】
【図１】図１は、本発明の実施例に従うスポーツスタジアムにおけるシステムを例示する。
【図２】図２は、テレビ番組が本発明の実施例に従い撮影されるスポーツスタジアムにおける異なる角度を例示する。
【図３】図３は、本発明の実施例に従う受信機器の機能的モジュールを示すブロック図を例示する。
【図４】図４は、本発明の実施例に従うビデオ情報を受信する受信機器を示すフロー図を例示する。
【図５】図５は、本発明の実施例に従う受信機器及び制御センタの機能的モジュールを示すブロック図を例示する。
【図６】図６は、本発明の実施例に従うビデオ情報を受信する受信機器を示すフロー図を例示する。
【図７】図７は、本発明の実施例に従う受信機器のユーザインターフェイスを例示する。
【図８】図８は、本発明の実施例に従うイベント情報の形式を概略的に例示する。
【図１】
2008539636.tif 000003
【図２】
2008539636.tif 000004
【図５】
2008539636.tif 000005
【図６】
2008539636.tif 000006
【図８】
2008539636.tif 000007
【図３】
2008539636.tif 000008
【図４】
2008539636.tif 000009
【図７】
2008539636.tif 000010
【国際調査報告】
2008539636.tif 000011
2008539636.tif 000012
2008539636.tif 000013